(57)【要約】特徴要素から構成された像を備える硬貨／代用硬貨。そのような特徴要素は、線および記号などを含むことができる。像は、そうした特徴要素だけでなく、像を縁取る周囲部からも構成されている。像は、特徴要素の強調度を変えることによって表されることができる。硬貨の縁部は、硬貨の他の部分が形成された後、金型に沿って転がされることによって製造される。
2006506121.tif 000002
【特許請求の範囲】
【請求項１】
像を備えた硬貨／代用硬貨（１）において、
前記像は、それを越えて延びる多数の、且つ本質的に同一の特徴要素から構成されており、
前記像の位置における前記特徴要素が、前記像に隣接する特徴要素とは異なる強調度を有していることを特徴とする硬貨／代用硬貨（１）。
【請求項２】
前記像が前記特徴要素のみによって形成されている、請求項１に記載の硬貨／代用硬貨。
【請求項３】
前記特徴要素が線（３）を含む、請求項１または請求項２に記載の硬貨／代用硬貨。
【請求項４】
前記線が波線を含む、請求項３に記載の硬貨／代用硬貨。
【請求項５】
前記線が本質的に平行である、請求項３または請求項４に記載の硬貨／代用硬貨。
【請求項６】
前記特徴要素が、互いに交差する線を含む、請求項１から請求項５までのいずれか１項に記載の硬貨／代用硬貨。
【請求項７】
前記特徴要素が記号を含む、請求項１から請求項６までのいずれか１項に記載の硬貨／代用硬貨。
【請求項８】
陽像を備えた硬貨を制作するための、陰像を備えた硬貨／代用硬貨を製作するための金型であって、
前記像は、それを越えて延びる多数の、且つ本質的に同一の特徴要素から構成されており、前記像の位置における前記特徴要素が、前記像に隣接する特徴要素とは異なる強調度を有している、金型。
【請求項９】
請求項８に記載の金型を使用して前記硬貨を鋳造するステップと、
縁部像を得るように、前記金型から、さらに他の金型に沿って前記硬貨の縁部を転がすステップと
を含む、硬貨／代用硬貨の製作方法。
【請求項１０】
前記さらに他の金型における前記縁部像のパターンが、レーザを使用して製作されている、請求項９に記載の方法。
【請求項１１】
前記縁部像がグレー色調を有している、請求項９または請求項１０に記載の方法。
【発明の詳細な説明】
【技術分野】
【０００１】
本発明は、像（ｉｍａｇｅ）を備えた硬貨／代用硬貨（ｃｏｉｎ／ｔｏｋｅｎ）に関するものである。
【背景技術】
【０００２】
そのような硬貨または代用硬貨が現況の技術において広く知られている。像はレリーフによって形成されている。そうしたレリーフは、幾分密集して適用されたドットを用いて像の構成を作り出すことによって、グレーの色調（ｇｒｅｙ  ｔｉｎｔｓ）を備えることができる。
【０００３】
通貨の場合、その目的は、硬貨などの通貨に可能な限り多くの防犯フィーチャを適用することである。長期的には防犯フィーチャの多くが偽造され得るが、多数のフィーチャを組み合わせる結果として、潜在的な偽造者には複製品に取り掛かることがあまり魅力的でないということが結局のところ判明している。
【０００４】
例えばホログラムまたはキネグラムを備えた硬貨が、文献「光学的防犯要素を備えた硬貨（Ｍｕｎｚｅ  ｍｉｔ  ｅｉｎｅｍ  ｏｐｔｉｓｃｈｅｎ  Ｓｉｃｈｅｒｈｅｉｔｓｅｌｅｍｅｎｔ）（１９９５年６月１日、Ｒｅｓｅａｒｃｈ  Ｄｉｓｃｌｏｓｅ、ケネス・メイソン出版、英国ハンプシャー州、第４１５頁、ＸＰ０００５１９４４６  ＩＳＳＮ：０３７４−４３５）」に記載されている。
【０００５】
現況の技術において、多種多様なタイプのパターンを備えた銀行券を印刷することが公知である。
【発明の開示】
【発明が解決しようとする課題】
【０００６】
したがって本発明の目的は、さらなる防犯フィーチャを備えた硬貨／代用硬貨を提供することである。
【課題を解決するための手段】
【０００７】
本発明によれば、この目的は、前記像が、それを越えて延びる多数の、且つ本質的に同一の特徴要素（ｃｈａｒａｃｔｅｒｉｓｔｉｃｓ）から構成されること、および前記像の位置における前記特徴要素が、前記像に隣接する特徴要素とは異なる強弱（ｉｎｔｅｎｓｉｔｙ；あるいは強調度）を有していることによって達成される。
【０００８】
ドットの強弱を変えることによって像を構成する上述の現況技術に対して、本発明によれば、特徴要素を使用して様々なフィーチャを構成することが提案されている。
【０００９】
本発明の有利な一実施例によれば、彫刻の深さ（すなわち高低差）が、少なくとも０．０３ｍｍである。この値は、硬貨がグレー色調を備える場合に見られる高さの差より大きい。
【００１０】
特徴要素とは、線、略字（ｌｅｔｔｅｒ）、数字、記号（ｓｙｍｂｏｌ）、繰り返し図形、およびしるし（ｃｈａｒａｃｔｅｒ）などであると理解される。本発明によれば、これらの特徴要素は、硬貨上の位置に応じてより強い強調（ａｃｃｅｔｕａｔｉｏｎ）、あるいはより小さい強調が適用される。所望の像は、より強い程度あるいはより弱い程度に強調された（異なる強弱の）多数の特徴要素が適用されることによって作り出される。この強調は、現況の技術で知られている任意の方法によって得ることができる。例えば、より強い、あるいはより弱い強調度のドットを使用して、より強く大きく強調された特徴要素またはより弱く強調された特徴要素を得るような、上述の技術によって可能である。「線の厚さ」を変えることも可能である。さらに、その高さを変えることも可能である。しるしを使用するとき、しるしの寸法を変えることも可能である。より小さい寸法では、より明るいパターンが得られる。この場合、単位表面積あたりのしるしの数は変わらない。もちろん、しるしの数を変えること、およびより明るい色調あるいは暗い色調をこの方法で形成することも可能である。
【００１１】
互いに横に並んで配置されるいくつかの線が使用される場合、これらの線をある位置において他の位置よりも互いに近くに位置決めすることが可能である。
【００１２】
他の有利な一実施例によれば、いわゆる潜像技術がこの硬貨／代用硬貨に使用される。すなわち、様々な特徴要素が、好ましくは垂直に交差する２方向に延びた線またはしるしなどから構成される。この方法によってあらゆる種類の光効果を得ることができる。
【００１３】
規則的に適用される繰り返し特徴要素は、マスター金型に存在することができ、あるいは加工金型内で後の加工段階でのみ適用されることができる。後者は、特に特徴要素がレーザ技術によって形成される場合である。そうした場合、マスター金型は特徴要素を含まない。
【００１４】
特徴要素は規則正しく繰り返すパターンに従って施される。線の場合、線は波線として施されることができ、線の間の距離は位置に応じて変えることができる。
【００１５】
特定のパターンを銀行券に適用するための現況の技術で知られている公報などとは異なり、本発明は硬貨にレリーフを適用することに関するものである。そのようなレリーフは、母材に比べて５〜２０μ、より詳細には約１０μ高さが違う。これらのレリーフは、硬貨の上に可視像が生成されるように選択される。
【００１６】
本発明はまた、硬貨／代用硬貨の縁部上の像の生成に関するものである。現況の技術では、ブランクが打ち抜きされた後、縁部の像が設けられ、その後、硬貨／代用硬貨の正面および背面に最終的な像が適用される。
【００１７】
本発明では、硬貨を完全に製作し、その後でのみ縁部の像を形成することが提案される。より具体的には、これは線パターンまたはしるしから構成される像に適用される。そのような場合には、設けられた金型（ダイ）に沿って硬貨が転がる。そうしたグレー色調を有する縁部インプレッション（縁部圧痕）は、さらなる防犯フィーチャを構成する。グレー色調を有する縁部像を生成するステップは、原則的に、上述の特徴要素による像の構成（要素）とは無関係のものであり、すなわち硬貨上に像を生成する任意の他の方法とともに使用できるものと理解されたい。
【００１８】
図示された例示的な実施例を参照して本発明を以下により詳細に説明する。
【実施例】
【００１９】
図１には、硬貨全体が１で示されている。その上の像は２で図示されている。硬貨の隣接部分に関するこの像の構成は、図２から詳細に見ることができる。この図から、様々なフィーチャが太さおよび間隔の変化した波線３によって構成されていることが分かる。これらの線を適切な方法で適用することによって像を得ることができる。本発明によれば、像は、線３などの特徴要素の変化のみによって生成されていることが好ましい。図３には、特徴要素の代替形態が示されており、それは略字４からなる。そのような特徴要素を得るために他の記号を使用できることが理解されよう。特定の一実施例によれば、しるしは組み合わされることができ、あるいは互いに交差する線から部分的になるものであってもよい。これは図４に示されている。ここで、本発明によるしるしは水平線５からなっている。波形パターンもある。垂直線６を適用することによって特定の構造を形成することができる。
【００２０】
図５には、硬貨１上の縁部像の製作方法が図示されている。硬貨は、（縁部の像を除いて）完全に製作された後、金型７上を転がされ、そこで縁部の像が得られる。金型は、線形パターンまたはしるしを硬貨の縁部に写すように設計されており、それによって単純な刻印ではなく、すなわち複雑な構成の像が生成される。
【００２１】
好ましい実施例を参照して本発明を上述してきたが、本特許出願の範囲を逸脱することなくそれに多数の変更を加えることができることが理解されよう。周囲部分に対して像を区別するために、多くの他の特徴要素が適用可能である。これらおよびその他の変形形態は、添付の特許請求の範囲内にある。
【図面の簡単な説明】
【００２２】
【図１】像を備えた本発明による硬貨を示す図である。
【図２】図１の詳細を示す図である。
【図３】特徴要素の代替形態を示す図である。
【図４】潜像の構成を示す図である。
【図５】硬貨上における縁部像の製作方法を示す図である。
【図１】
2006506121.tif 000003
【図２】
2006506121.tif 000004
【図３】
2006506121.tif 000005
【図４】
2006506121.tif 000006
【図５】
2006506121.tif 000007
【国際調査報告】
2006506121.tif 000008
2006506121.tif 000009
2006506121.tif 000010
2006506121.tif 000011